(57)【要約】【課題】物品の受け渡しに関して、相手を確認できるとともに、渡した物品あるいは渡された物品を、後からも確認できる認証システムを提供することである。【解決手段】  物品に破壊検出型の無線ＩＣタグ１を貼付し、受け渡し側コンピュータ２は、自身の固有ＩＤと、無線ＩＣタグ１から読み取ったタグＩＤを暗号化した暗号化タグＩＤとを送信する機能を備え、受け取り側コンピュータ３は、生成した暗号化キーを受け渡し側コンピュータへ送信し、暗号化タグＩＤを復号化するとともに、復号化したタグＩＤと受信した受け渡し側コンピュータＩＤとを対応づけて記憶する機能を備えた。【選択図】  図１
2006048353.tif 000002
【特許請求の範囲】
【請求項１】
物品に貼付した破壊検出型の無線ＩＣタグと、物品を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した物品固有のタグＩＤを記憶する機能と、記憶しているタグＩＤを無線送信する機能と、自身が貼付されている物品からはがされた時に、無線送信する機能を停止させるか、または、はがされる前と異なるタグＩＤを出力する機能とを備え、受け渡し側コンピュータは、受け渡し側が受け取り側へ物品を受け渡す際に受け渡し側コンピュータの固有ＩＤを送信する機能と、物品に貼付されている上記無線ＩＣタグからタグＩＤを読み取る機能と、受け取り側コンピュータから送信された暗号化キーを受信する機能と、この暗号化キーを用いて読み取ったタグＩＤを暗号化し、暗号化タグＩＤとして受け取り側コンピュータへ送信する機能とを備え、受け取り側コンピュータは、タグＩＤを暗号化するための暗号化キーを生成する機能と、生成した暗号化キーを受け渡し側コンピュータへ送信する機能と、受け取り側が物品を受け取る際に受け渡し側コンピュータの固有ＩＤを受信する機能と、その物品に貼付されている無線ＩＣタグからタグＩＤを読み取る機能と、読み取ったタグＩＤを記憶する機能と、受け渡し側コンピュータから暗号化タグＩＤを受信する機能と、受信した暗号化タグＩＤを自身が生成した暗号化キーに対応する復号化キーを用いて復号化する機能と、受信した受け渡し側コンピュータの固有ＩＤに上記復号化したタグＩＤを対応付けて記憶する機能と、タグＩＤに対応した受け渡し側コンピュータの固有ＩＤを特定する機能とを備えた認証システム。
【請求項２】
物品に貼付した破壊検出型の無線ＩＣタグと、物品を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した物品固有のタグＩＤを記憶する機能と、記憶しているタグＩＤを無線送信する機能と、自身が貼付されている物品からはがされた時に、無線送信する機能を停止させるか、または、はがされる前と異なるタグＩＤを出力する機能とを備え、受け渡し側コンピュータは、受け渡し側が受け取り側へ物品を受け渡す際に物品に貼付されている上記無線ＩＣタグからタグＩＤを読み取る機能と、自身が記憶している暗号化キーを用いて読み取ったタグＩＤを暗号化し、それを暗号化タグＩＤとして受け取り側コンピュータへ送信する機能とを備え、受け取り側コンピュータは、受け取り側が物品を受け取る際にその物品に貼付されている無線ＩＣタグからタグＩＤを読み取る機能と、受け渡し側のＩＤ用公開鍵を受信する機能と、受け渡し側コンピュータから暗号化タグＩＤを受信して記憶する機能と、記憶した暗号化タグＩＤを上記ＩＤ用公開鍵を用いて復号化する機能とを備えた認証システム。
【請求項３】
物品に貼付した破壊検出型の無線ＩＣタグと、物品を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した物品固有のタグＩＤを記憶する機能と、記憶しているタグＩＤを無線送信する機能と、自身が貼付されている物品からはがされた時に、無線送信する機能を停止させるか、または、はがされる前と異なるタグＩＤを出力する機能とを備え、受け渡し側コンピュータは、受け取り側コンピュータの固有ＩＤを受信する機能と、受け渡し側が受け取り側へ物品を受け渡す際に物品に貼付されている上記無線ＩＣタグからタグＩＤを読み取る機能と、読み取ったタグＩＤを記憶する機能と、タグＩＤを暗号化するための暗号化キーを生成する機能と、生成した暗号化キーを受け取り側コンピュータへ送信する機能と、受け取り側コンピュータから送信された暗号化タグＩＤを受信する機能と、受信した暗号化タグＩＤを自身が生成した暗号化キーに対応する復号化キーを用いて復号化する機能と、受信した受け取り側コンピュータの固有ＩＤに上記復号化したタグＩＤを対応付けて記憶する機能と、タグＩＤから受け取り側コンピュータの固有ＩＤを特定する機能とを備え、受け取り側コンピュータは、受け取り側が物品を受け取る際に、受け取り側コンピュータの固有ＩＤを送信する機能と、受け取った物品に貼付されている無線ＩＣタグからタグＩＤを読み取る機能と、受け渡し側コンピュータから暗号化キーを受信する機能と、この暗号化キーを用いて読み取ったタグＩＤを暗号化し、暗号化タグＩＤとして受け取り側コンピュータへ送信する機能とを備えた認証システム。
【請求項４】
物品に貼付した破壊検出型の無線ＩＣタグと、物品を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した物品固有のタグＩＤを記憶する機能と、記憶しているタグＩＤを無線送信する機能と、自身が貼付されている物品からはがされた時に、無線送信する機能を停止させるか、または、はがされる前と異なるタグＩＤを出力する機能とを備え、受け渡し側コンピュータは、受け渡し側が受け取り側へ物品を受け渡す際に物品に貼付されている上記無線ＩＣタグからタグＩＤを読み取る機能と、読み取ったタグＩＤを記憶する機能と、受け取り側のＩＤ用公開鍵を受信する機能と、受け取り側コンピュータから暗号化タグＩＤを受信して記憶する機能と、記憶した暗号化タグＩＤを上記ＩＤ用公開鍵を用いて復号化する機能とを備え、受け取り側コンピュータは、受け取り側が物品を受け取る際に、その物品に貼付されている無線ＩＣタグからタグＩＤを読み取る機能と、自身が記憶している暗号化キーを用いて読み取ったタグＩＤを暗号化し、それを暗号化タグＩＤとして受け渡し側コンピュータへ送信する機能とを備えた認証システム。
【請求項５】
受け渡し側コンピュータは、任意のコードを記憶する機能と、受け取り側コンピュータとの間で他のデータを送受信する前に、上記任意のコードを受け取り側コンピュータに送信する機能と、受け取り側のコード用公開鍵を受信する機能と、受け取り側コンピュータから暗号化コードを受信する機能と、この暗号化コードを上記コード用公開鍵を用いて復号化する機能とを備え、受け取り側コンピュータは、受け渡し側コンピュータから上記任意のコードを受信する機能と、受信したコードを自身が記憶している暗号化キーを用いて暗号化し、それを暗号化コードとして受け渡し側コンピュータへ送信する機能とを備えた請求項１〜４のいずれか１に記載の認証システム。
【請求項６】
受け取り側コンピュータは、任意のコードを記憶する機能と、受け渡し側コンピュータとの間で他のデータを送受信する前に、上記任意のコードを受け渡し側コンピュータに送信する機能と、受け渡し側のコード用公開鍵を受信する機能と、受け渡し側コンピュータから暗号化コードを受信する機能と、この暗号化コードを上記コード用公開鍵を用いて復号化する機能とを備え、受け渡し側コンピュータは、受け取り側コンピュータから上記任意のコードを受信する機能と、受信したコードを自身が記憶している暗号化キーを用いて暗号化し、それを暗号化コードとして受け取り側コンピュータへ送信する機能とを備えた請求項１〜４のいずれか１に記載の物品の認証システム。
【発明の詳細な説明】
【技術分野】
【０００１】
この発明は、物流業務において、物品の受け渡しの後に、受け渡しあるいは受け取りを証明するための認証システムに関する。
【背景技術】
【０００２】
商品の受け渡し時に相手を確認するシステムとして、特許文献１に示すようなシステムが考えられる。
このシステムは、オンラインショッピングなどで購入した商品を、ユーザーが、自宅以外のコンビニエンスストアなどの取次店で受け取る場合、取次店で、ユーザーが正当な受取人であるかどうかを確認してから、商品を渡すためのものである。
そして、このシステムでは、発送元において、商品にＩＣタグを貼付し、このＩＣタグに伝票番号のハッシュ値を記憶させておく。
【０００３】
また、発送元は、ユーザーへ、上記ハッシュ値を暗号化したもの送信する一方、取次店には、上記ハッシュ値を送信しておく。
取次店では、ユーザーは先に発送元から受け取った暗号を取次店のコンピュータに入力し、このコンピュータは入力された暗号を復号化するとともに、商品のＩＣタグから読み取ったハッシュ値とを対比する。そして両者が一致した場合に、商品を渡すようにしている。
上記のようなシステムは、取次店で、受取人であるユーザーを確認して商品を渡すことができるが、そのためには、発送元と取次店との間と、発送元とユーザーとの間とに、通信可能なシステムを前提としている。そして、予め、発送元から取次店へハッシュ値を送信し、ユーザーに暗号などを送信しておく必要がる。つまり、予め決められた取次店などの仲介業者がユーザーを確認して商品を渡すシステムである。
【特許文献１】特開２００２−０４２００８号公報
【発明の開示】
【発明が解決しようとする課題】
【０００４】
特開２００２−０４２００８号公報に記載されたシステムでは、荷物のＩＣタグに伝票番号のハッシュ値を書き込んでおき、別途、鍵を使用して、このハッシュ値を暗号化したものを発送業者から受取者へ送信して、受取場所にて、受取者が持っている暗号値を復号化し、ＩＣタグに書き込まれたハッシュ値と一致するか否かで、その受取者にその荷物を渡すべきか否を判断するようにしている。しかし、このシステムでは、物品を渡した後に、誰にその荷物を渡したのかとか、誰からのその荷物を受け取ったのかということを、後から、検証することはできない。
さらに、上記システムは、取次店とユーザーとの間のユーザーの認証のみを問題としているシステムなので、商品に不正な操作がされたり、商品が入れ替わってしまったりすることを想定していない。そのため、例えば、取次店で、商品に貼付されたバーコードなどを別の商品に貼り換えてもわからないという問題もある。
【０００５】
この発明の目的は、物品の受け渡し時に、その場で、渡した物品あるいは渡された物品と、受け渡し側あるいは受け取り側の相手をそれぞれのコンピュータに記憶するとともに、後から、その内容を確認できる認証システムを提供することである。
【課題を解決するための手段】
【０００６】
第１〜第６の発明は、物品に貼付した破壊検出型の無線ＩＣタグと、物品を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した物品固有のタグＩＤを記憶する機能と、記憶しているタグＩＤを無線送信する機能と、自身が貼付されている物品からはがされた時に、無線送信する機能を停止させたり、はがされる前と異なるタグＩＤを出力したりする機能とを備えている。
【０００７】
そして、第１の発明は、受け渡し側コンピュータは、受け渡し側が受け取り側へ物品を受け渡す際に受け渡し側コンピュータの固有ＩＤを送信する機能と、物品に貼付されている上記無線ＩＣタグからタグＩＤを読み取る機能と、受け取り側コンピュータから送信された暗号化キーを受信する機能と、この暗号化キーを用いて読み取ったタグＩＤを暗号化し、暗号化タグＩＤとして受け取り側コンピュータへ送信する機能とを備え、受け取り側コンピュータは、タグＩＤを暗号化するための暗号化キーを生成する機能と、生成した暗号化キーを受け渡し側コンピュータへ送信する機能と、受け取り側が物品を受け取る際に受け渡し側コンピュータの固有ＩＤを受信する機能と、その物品に貼付されている無線ＩＣタグからタグＩＤを読み取る機能と、読み取ったタグＩＤを記憶する機能と、受け渡し側コンピュータから暗号化タグＩＤを受信する機能と、受信した暗号化タグＩＤを自身が生成した暗号化キーに対応する復号化キーを用いて復号化する機能と、受信した受け渡し側コンピュータの固有ＩＤに上記復号化したタグＩＤを対応付けて記憶する機能と、タグＩＤに対応した受け渡し側コンピュータの固有ＩＤを特定する機能とを備えた点に特徴を有する。
【０００８】
第２の発明は、受け渡し側コンピュータは、受け渡し側が受け取り側へ物品を受け渡す際に物品に貼付されている上記無線ＩＣタグからタグＩＤを読み取る機能と、自身が記憶している暗号化キーを用いて読み取ったタグＩＤを暗号化し、それを暗号化タグＩＤとして受け取り側コンピュータへ送信する機能とを備え、受け取り側コンピュータは、受け取り側が物品を受け取る際にその物品に貼付されている無線ＩＣタグからタグＩＤを読み取る機能と、受け渡し側のＩＤ用公開鍵を受信する機能と、受け渡し側コンピュータから暗号化タグＩＤを受信して記憶する機能と、記憶した暗号化タグＩＤを上記ＩＤ用公開鍵を用いて復号化する機能とを備えた点に特徴を有する。
【０００９】
なお、上記受け渡し側コンピュータで用いる暗号化キーは、受け渡し側コンピュータで生成する必要はない。他のコンピュータで生成した暗号化キーを受け渡し側コンピュータが受信して利用するようにしてもかまわない。
また、上記受け渡し側のＩＤ用公開鍵は、受け渡し側から公開され、受け渡し側コンピュータが用いた暗号化キーに対応した公開鍵であるが、受け渡し側コンピュータが生成するものとは限らない。
【００１０】
第３の発明は、受け渡し側コンピュータは、受け取り側コンピュータの固有ＩＤを受信する機能と、受け渡し側が受け取り側へ物品を受け渡す際に物品に貼付されている上記無線ＩＣタグからタグＩＤを読み取る機能と、読み取ったタグＩＤを記憶する機能と、タグＩＤを暗号化するための暗号化キーを生成する機能と、生成した暗号化キーを受け取り側コンピュータへ送信する機能と、受け取り側コンピュータから送信された暗号化タグＩＤを受信する機能と、受信した暗号化タグＩＤを自身が生成した暗号化キーに対応する復号化キーを用いて復号化する機能と、受信した受け取り側コンピュータの固有ＩＤに上記復号化したタグＩＤを対応付けて記憶する機能と、タグＩＤから受け取り側コンピュータの固有ＩＤを特定する機能とを備え、受け取り側コンピュータは、受け取り側が物品を受け取る際に、受け取り側コンピュータの固有ＩＤを送信する機能と、受け取った物品に貼付されている無線ＩＣタグからタグＩＤを読み取る機能と、受け渡し側コンピュータから暗号化キーを受信する機能と、この暗号化キーを用いて読み取ったタグＩＤを暗号化し、暗号化タグＩＤとして受け取り側コンピュータへ送信する機能とを備えた点に特徴を有する。
【００１１】
第４の発明は、物品に貼付した破壊検出型の無線ＩＣタグと、物品を受け取り側へ渡す受け渡し側が使用する受け渡し側コンピュータと、受け取り側が使用するとともに、上記受け渡し側コンピュータと通信可能な受け取り側コンピュータとを備え、上記無線ＩＣタグは、それを貼付した物品固有のタグＩＤを記憶する機能と、記憶しているタグＩＤを無線送信する機能と、自身が貼付されている物品からはがされた時に、無線送信する機能を停止させるか、または、はがされる前と異なるタグＩＤを出力する機能とを備え、受け渡し側コンピュータは、受け渡し側が受け取り側へ物品を受け渡す際に物品に貼付されている上記無線ＩＣタグからタグＩＤを読み取る機能と、読み取ったタグＩＤを記憶する機能と、受け取り側のＩＤ用公開鍵を受信する機能と、受け取り側コンピュータから暗号化タグＩＤを受信して記憶する機能と、記憶した暗号化タグＩＤを上記ＩＤ用公開鍵を用いて復号化する機能とを備え、受け取り側コンピュータは、受け取り側が物品を受け取る際に、その物品に貼付されている無線ＩＣタグからタグＩＤを読み取る機能と、自身が記憶している暗号化キーを用いて読み取ったタグＩＤを暗号化し、それを暗号化タグＩＤとして受け渡し側コンピュータへ送信する機能とを備えた点に特徴を有する。
なお、上記受け取り側コンピュータで用いる暗号化キーは、受け取り側コンピュータで生成する必要はない。他のコンピュータで生成した暗号化キーを受け取り側コンピュータが受信して利用するようにしてもかまわない。
【００１２】
また、上記受け取り側のＩＤ用公開鍵は、受け取り側から公開され、受け取り側コンピュータが用いた暗号化キーに対応した復号化キーであるが、受け取り側コンピュータが生成するものとは限らない。
さらに、上記第１〜第４の発明の無線ＩＣタグが物品からはがされた状態には、無線ＩＣタグ全体を物品から完全にはがし取った状態だけでなく、部分的にはがした状態も含むものとする。
【００１３】
第５の発明は、上記第１〜第４の発明を前提とし、  受け渡し側コンピュータは、任意のコードを記憶する機能と、受け取り側コンピュータとの間で他のデータを送受信する前に、上記任意のコードを受け取り側コンピュータに送信する機能と、受け取り側のコード用公開鍵を受信する機能と、受け取り側コンピュータから暗号化コードを受信する機能と、この暗号化コードを上記コード用公開鍵を用いて復号化する機能とを備え、受け取り側コンピュータは、受け渡し側コンピュータから上記任意のコードを受信する機能と、受信したコードを自身が記憶している暗号化キーを用いて暗号化し、それを暗号化コードとして受け渡し側コンピュータへ送信する機能とを備えた点に特徴を有する。
【００１４】
第６の発明は、上記第１〜第４の発明を前提とし、受け取り側コンピュータは、任意のコードを記憶する機能と、受け渡し側コンピュータとの間で他のデータを送受信する前に、上記任意のコードを受け渡し側コンピュータに送信する機能と、受け渡し側のコード用公開鍵を受信する機能と、受け渡し側コンピュータから暗号化コードを受信する機能と、この暗号化コードを上記コード用公開鍵を用いて復号化する機能とを備え、受け渡し側コンピュータは、受け取り側コンピュータから上記任意のコードを受信する機能と、受信したコードを自身が記憶している暗号化キーを用いて暗号化し、それを暗号化コードとして受け取り側コンピュータへ送信する機能とを備えた点に特徴を有する。
【発明の効果】
【００１５】
第１〜第６の発明によれば、物品に貼付した無線ＩＣタグがはがされたかどうかがわかるようにしているので、ＩＣタグからタグＩＤが読み取れたということによって、受け渡し側から受け取り側へ渡した物品が、正規の物であることが確認できるようになる。
また、物品の受け渡しの際に、輸送業者などの業者間で、物品のやりとりを行った相手を確認することができる。
【００１６】
特に、第１、第２の発明によれば、受け取り側で、物品を受け渡した側を確認することができる。また、受け取り側コンピュータが、タグＩＤと受け渡し側コンピュータの固有のＩＤとを対応づけて記憶しておくため、受け取り側では、どの受け渡し側コンピュータから何を受け取ったのかということを後から証明することができる。
【００１７】
また、第３、第４の発明によれば、受け渡し側が、物品を渡した相手を確認することができ、正規の相手に物品を渡したかどうかを確認できる。また、そのことを記憶しておくので、受け渡し側は、どの受け取り側コンピュータに対して何を渡したのかということを後から証明することができる。
さらに、第５、第６の発明によれば、物品の受け渡しや受け取りの際に、通信相手を記憶し、後から証明することができる。
【発明を実施するための最良の形態】
【００１８】
図１に示す第１実施形態は、図示しない物品を、輸送業者Ａから業者Ｂへ渡す際の認証システムである。上記業者Ａが、この発明の受け渡し側であり、業者Ｂが受け取り側である。そして、上記物品には、破壊検出型の無線ＩＣタグ１を貼付している。
従って、この第１実施形態のシステムは、上記無線ＩＣタグ１と、輸送業者Ａが用いる受け渡し側コンピュータ２と、輸送業者Ｂが用いる受け取り側コンピュータ３とで構成される。
【００１９】
上記破壊検知型の無線ＩＣタグ１は、図２に示すようにＩＤ記憶部４と無線送受信部５とを備え、一面に接着面を備えたシール状のタグである。この接着面を介して、無線ＩＣタグ１を物品に貼付する。
上記ＩＤ記憶部４は、これを貼付する物品に対応するタグＩＤを記憶し、無線送受信部５はＩＤ記憶部４が記憶しているタグＩＤを、受け渡し側コンピュータ２または受け取り側コンピュータ３に対して送信する機能を備えている。
【００２０】
ここでは、無線ＩＣタグ１は、各コンピュータ２，３からの問い合わせ信号を受信した時、タグＩＤを送信するようにしている。ただし、タグＩＤの送信タイミングは、これに限らない。例えば、所定間隔で、無線ＩＣタグ１が一方的にタグＩＤを送信するようにし、無線ＩＣタグ１の近くにあるコンピュータの受信部がそれを受信するようにしてもよい。
どちらにしても、各業者Ａ、Ｂが、自身の手元に届いた物品に貼付されている無線ＩＣタグ１から、コンピュータ２，３にタグＩＤを読み取らせるようにしている。
【００２１】
また、この無線ＩＣタグ１は、物品からはがされた時に、上記無線送受信部５が機能しないようにしている。
具体的には、特許第３２１１１６８号公報に記載された封印用シールや、特開２００２−２４８２５０号公報に記載された電子タグのように、シール状に形成した無線ＩＣタグ１を、物品の表面に貼付して用いる。そして、一旦、貼付した無線ＩＣタグ１をはがし取ろうとすると、内蔵された無線送受信部５が破壊されるようにしている。例えば、上記ＩＣタグ１に荷重が作用すると、内部の送信回路が断線したり、アンテナ回路が破壊されたりして、無線ＩＣタグ１からタグＩＤを送信できなくなるようにしている。
従って、各コンピュータ２、３は、自身の所に上記物品が届いた時点で、上記無線ＩＣタグ１が貼付されたままの状態でなければ、タグＩＤを読み取ることができない。
【００２２】
また、上記受け取り側コンピュータ３は、受け渡し側コンピュータ２との間で通信が可能であるとともに、上記無線ＩＣタグ１からタグＩＤを読み取る機能と、以下に説明するデータ処理機能とを備えたコンピュータである。なお、受け渡し側コンピュータ２や受け取り側コンピュータ３は、物品に貼付された無線ＩＣタグ１からタグＩＤを、コンピュータ本体とは別体の専用のリーダーを介して読み取るようにしてもよい。
また、受け渡し側コンピュータ２は、業者Ａが、業者Ｂに物品を渡す際に、物品に貼付した無線ＩＣタグからタグＩＤを読み取るとともに、そのときの時刻に対応するＩＤとして時刻ＩＤ（ｔ）を生成する機能を備えている。
上記受け渡し側コンピュータ２と受け取り側コンピュータ３との間の通信は、無線でも有線でもかまわないが、輸送業者とともに、移動するコンピュータ２、３に配線が必要ないように、無線通信を利用する方が便利である。
【００２３】
次に、このシステムにおいて、物品を業者Ａから業者Ｂに渡す際の、受け渡し側コンピュータ２および受け取り側コンピュータ３の機能を、図１に示すデータの流れに従って説明する。
受け渡し側コンピュータ２を持った業者Ａ側では、受け取り側コンピュータ３を持った業者Ｂに物品を渡す際に、受け渡し側コンピュータ２が、物品に貼付された無線ＩＣタグ１からタグＩＤを読み取って（図１の矢印（１））、それを記憶する。
受け渡し側コンピュータ２は、タグＩＤを読み取ったら、その時刻を特定して時刻ＩＤ（ｔ）を生成し、これを受け取り側コンピュータ３へ送信する（図１の矢印（２））。この時刻ＩＤ（ｔ）とは、時刻に対応したコードである。
【００２４】
また、上記受け渡し側コンピュータ２は、矢印（３）に示すように、受け渡し側コンピュータ２に固有のＩＤ、すなわちコンピュータＩＤ（ａ）も、受け取り側コンピュータ３へ送信する。このコンピュータＩＤ（ａ）の送信タイミングは、受け取り側コンピュータ３との間の一連のデータのやりとりが終了するまでの間なら、いつでもかまわない。
一方、受け取り側コンピュータ３は、受信したコンピュータＩＤ（ａ）を記憶するとともに、受信した時刻ＩＤ（ｔ）に基づいて暗号化キーＰＢを生成し、それを受け渡し側コンピュータ２へ送信する（図１の矢印（４））。
【００２５】
次に、上記暗号化キーＰＢを受信した受け渡し側コンピュータ２が、先に記憶したタグＩＤをこの暗号化キーＰＢで暗号化し、この発明の暗号化タグＩＤである暗号ＰＢ（ＩＤ）を受け取り側コンピュータ３へ送信する（図１の矢印（５））。
受け取り側コンピュータ３は、暗号ＰＢ（ＩＤ）を受信し、この暗号ＰＢ（ＩＤ）を、復号化キーＰＢ’を用いて復号化して、ＩＤを生成する。この復号化キーＰＢ’は、受け取り側コンピュータ３が生成した暗号化キーＰＢに対応する復号化キーである。
そして、受け取り側コンピュータ３は、復号化したＩＤに、先に受信した受け渡しコンピュータ２に固有のコンピュータＩＤ（ａ）を対応づけて記憶する。
【００２６】
また、このときまでに、物品は、業者Ｂに渡っているので、受け取り側コンピュータ３は、物品に貼付されている無線ＩＣタグ１からタグＩＤを読み取る（矢印（６））。
受け取り側コンピュータ３は、復号化したＩＤと、上記読み取ったタグＩＤとを対比し、上記両ＩＤが一致した場合、受け取り側コンピュータ３を持った業者Ｂは、受け渡し側コンピュータ２を持った業者Ａから、物品を確かに受け取ったことをその場で確認できる。
なぜなら、上記受け取り側コンピュータ３が、上記暗号ＰＢ（ＩＤ）を自身の復号化キーＰＢ’で復号化できたということは、上記暗号ＰＢ（ＩＤ）が、暗号化キーＰＢで暗号化されたということであり、この暗号化キーＰＢは、受け取り側コンピュータ３が受け渡し側コンピュータ２へ送信したものだからである。
また、受け取り側コンピュータ３が、無線ＩＣタグ１からタグＩＤを読み取ることができたということから、ＩＣタグ１が物品からはがされることがなかったということがわかり、この無線ＩＣタグ１が他の物品に貼り換えられるようなことが無かったということも確認できる。すなわち、物品が入れ換えられた心配が無いということである。
【００２７】
さらに、上記受け取り側コンピュータ３は、復号化したタグＩＤに、受け渡し側コンピュータ２から受信したコンピュータＩＤ（ａ）とを対応づけて記憶しているので、いつでも、これらのデータを確認することができる。そして、受け取り側コンピュータ３は、上記対応データに基づいて、タグＩＤに対応した受け渡し側コンピュータ２のコンピュータＩＤ（ａ）を特定する機能を備えている。
つまり、特定の物品のタグＩＤが、上記受け取り側コンピュータ３に、復号化されたＩＤとして記憶されていれば、それに対応する受け渡し側コンピュータ２のコンピュータＩＤを特定できる。受け渡し側コンピュータ２のコンピュータＩＤ（ａ）が特定できれば、受け渡し側コンピュータ２が特定できるので、その物品が、どの業者、例えば、業者Ａから渡されたということを証明することができる。
【００２８】
なお、受け取り側コンピュータ３が、タグＩＤを読み取るタイミングは、上記のタイミングに限らない。物品を受け取った後ならいつでもかまわない。
この第１実施形態では、受け渡し側コンピュータ２が時刻ＩＤ（ｔ）を生成して受け取り側コンピュータ３へ送信し、受け取り側コンピュータ３が時刻ＩＤ（ｔ）を用いて暗号化キーＰＢを生成しているが、このようにすれば、受け取り側コンピュータ３で生成される暗号化キーＰＢがその時点での固有のキーになり、一旦、受信したキーを別の機会等に不正に使用できなくなる。また、後から、取引時刻を特定することもできる。ただし、時刻に限らず、その場限りのコードを生成して、それを暗号化キーの生成に利用するようにしてもかまわない。また、時刻ＩＤのようなコードはかならずしも必要ではない。
【００２９】
ただし、上記無線ＩＣタグは、貼付された物品からはがされた場合に、無線送信機能が停止するのではなく、はがされる前と異なるタグＩＤを出力するようにしてもよい。
上記無線ＩＣタグが、はがされる前と異なるタグＩＤを出力するというのは、例えば、無線ＩＣタグがはがされる際に、特定の線が断線してはがされたことを検出し、記憶している固有ＩＤの後に、１ビットの断線情報を付加して出力するなどの方法がある。断線時には、「１」を付加して出力するというようにした場合、このような情報を受信したコンピュータでは、最後に「１」が付加された信号を受信して、断線、すなわち、無線ＩＣタグがはがされたことを確認できるのである。
【００３０】
上記第１実施形態では、無線ＩＣタグ１が、物品からはがされた場合に、無線送信機能を停止する機能を備えた例を説明したが、貼付された物品からはがされた場合に、無線送信機能が停止するのではなく、タグＩＤ以外の信号を出力する機能を備えた無線ＩＣタグを用いるようにしてもよい。無線ＩＣタグが、タグＩＤ以外の信号を出力するというのは、例えば、無線ＩＣタグがはがされる際に、特定の線が断線してはがされたことを検出し、記憶しているタグＩＤの後に、１ビットの断線情報を付加して出力するなどの方法である。例えば、上記特定の線の断線時には、タグＩＤの最後に「１」を付加して出力するというようにすれば、このような情報を受信したコンピュータでは、最後に「１」が付加された信号を受信して、断線、すなわち、無線ＩＣタグ１が、物品からはがされたことを確認できるのである。このような無線ＩＣタグ１は、以下に説明する他の実施形態においても、用いることができる。
【００３１】
図３に示す第２実施形態は、業者Ａから業者Ｂに対して、物品を受け渡した時に、業者Ｂが、業者Ａから物品を受け取ったことを確認するシステムの例で、上記第１実施形態とは別の方法を用いるシステムである。
図３は、受け渡し側コンピュータ２と、受け取り側コンピュータ３との間のデータの流れを示した図であるが、システムの全体構成は、第１実施形態と同じである。従って、上記第１実施形態と異なる部分を中心に説明する。
【００３２】
この第２実施形態では、無線ＩＣタグ１から読み取ったタグＩＤを暗号化するための暗号化キーＰＡを受け取り側コンピュータ３が生成するのではなく、受け渡し側コンピュータ２が生成するようにしている。そして、この暗号化キーＰＡに対応する復号化キーＰＡ’をＡのＩＤ用公開鍵ＰＡ’として公開するようにしている。ただし、上記暗号化キーＰＡは、受け渡し側コンピュータ２で、毎回生成するのではなく、上記ＩＤ用公開鍵である復号化キーＰＡ’と対で、一旦生成したら、受け渡し側コンピュータ２が記憶しておいて、必要な時に利用する。また、これらの暗号化キーＰＡ及び復号化キーＰＡ’は、受け渡し側コンピュータ２以外のコンピュータで生成してもかまわないが、生成された暗号化キーＰＡは、受け渡し側の秘密鍵でなければならない。
【００３３】
以下に、図３に従って、各コンピュータの機能とデータの流れを説明する。
業者Ａでは、業者Ｂに物品を渡す際に、受け渡し側コンピュータ２が物品に貼付された無線ＩＣタグ１からタグＩＤを読み取って（図３の矢印（１））、それを記憶する。
次に、受け渡し側コンピュータ２は、上記暗号化キーＰＡを用いて、読み取ったタグＩＤを暗号化する。そして、暗号化タグＩＤとして暗号ＰＡ（ＩＤ）を受け取り側コンピュータ３へ送信する（図３の矢印（２））。
【００３４】
一方、受け取り側コンピュータ３は、暗号ＰＡ（ＩＤ）を受信して記憶する。そして、記憶した暗号ＰＡ（ＩＤ）を業者ＡのＩＤ用公開鍵である復号化キーＰＡ’を用いて復号化し、ＩＤを生成する。この復号化キーＰＡ’は、受け渡し側コンピュータ２が生成した暗号化キーＰＡに対応する復号化キーである。このときまでに、物品は、業者Ｂに渡っているので、受け取り側コンピュータ３は、物品に貼付されている無線ＩＣタグ１からタグＩＤを読み取って（矢印（３））、その読み取ったＩＤと上記復号化したＩＤとを対比する。
そして、上記両ＩＤが一致した場合、業者Ｂは、特定の物品を業者Ａから確かに受け取ったことをその場で確認できる。
【００３５】
なぜなら、受け取り側コンピュータ３が、上記暗号ＰＡ（ＩＤ）を、Ａの公開鍵である復号化キーＰＡ’を用いて復号化できたということは、上記暗号ＰＡ（ＩＤ）が、業者Ａの受け渡し側コンピュータ２で暗号化されたものだからである。つまり、受け渡し側コンピュータ２が、読み取った物品のタグＩＤをと同じタグＩＤを、受け取り側コンピュータ３も読み取ったことになるからである。
また、受け取り側コンピュータ３が、タグＩＤを読み取れたということから、物品が入れ換わっていないと判断できる点は、上記第１実施形態と同じである。
【００３６】
さらに、受け取り側コンピュータ３は、受け渡し側コンピュータ２から受信した暗号ＰＡ（ＩＤ）を記憶しているので、後から、受け取った物品のタグＩＤと、受け渡し業者、例えば業者Ａを確認することができる。
例えば、受け取り側コンピュータ３が記憶している暗号ＰＡ（ＩＤ）を、業者Ａの公開鍵である復号化キーＰＡ’で復号化することによって、その暗号が業者Ａ側の受け渡し側コンピュータ２から送信されたことを証明できる。また、復号化したＩＤと物品に貼付されたタグＩＤとの対応から、物品を特定することもできる。従って、輸送が終了した後に、その物品をどの業者から受け取ったのかということを確認することができる。
【００３７】
図４示す第３実施形態は、業者Ａから業者Ｂに対して、物品を受け渡した時、業者Ａ側が、業者Ｂに物品を渡したことを確認するシステムの例である。
図４は、受け渡し側コンピュータ２と、受け取り側コンピュータ３との間のデータの流れを示した図であるが、システムの全体構成は、上記第１実施形態と同じである。
この第３実施形態では、無線ＩＣタグ１から読み取ったタグＩＤを暗号化するための暗号化キーＰＡを受け渡し側コンピュータ２が生成し、その暗号化キーＰＡを用いてタグＩＤの暗号化を受け取り側コンピュータ３が行う。
【００３８】
以下に、図４に従って、各コンピュータの機能とデータの流れを説明する。
業者Ａでは、業者Ｂに物品を渡す際に、受け渡し側コンピュータ２が物品に貼付された無線ＩＣタグ１からタグＩＤを読み取って（図４の矢印（１））、それを記憶する。
次に、受け渡し側コンピュータ２は、タグＩＤを暗号化するための暗号化キーＰＡを生成し、この暗号化キーＰＡを受け取り側コンピュータ３へ送信する（図４の矢印（２））。
上記暗号化キーＰＡも、一回限りのキーとして生成すると、一旦、受信したキーを別の機会等に不正に使用できなくなる。
【００３９】
一方、受け取り側コンピュータ３は、暗号化キーＰＡを受信したらそれを記憶するが、この時点で、物品は業者Ｂに渡っているので、受け取り側コンピュータ３は、物品に貼付されている無線ＩＣタグ１からタグＩＤを読み取る（矢印（３））。
次に、受け取り側コンピュータ３は、矢印（４）に示すように、受け取り側コンピュータ３に固有のＩＤ、すなわちコンピュータＩＤ（ｂ）を、受け渡し側コンピュータ２へ送信する。このコンピュータＩＤ（ｂ）の送信タイミングは、受け渡し側コンピュータ２との間の一連のデータのやりとりが終了するまでの間なら、いつでもかまわない。
また、受け取り側コンピュータ３は、読み取ったタグＩＤを、先に受け渡し側コンピュータ２から受信した暗号化キーＰＡを用いて暗号化し、暗号化タグＩＤとして暗号ＰＡ（ＩＤ）を受け渡し側コンピュータ２へ送信する（図４の矢印（５））。
【００４０】
受け渡し側コンピュータ２は、受信したコンピュータＩＤ（ｂ）を記憶するとともに、暗号ＰＡ（ＩＤ）を受信し、この暗号ＰＡ（ＩＤ）を上記暗号化キーＰＡに対応する復号化キーＰＡ’を用いて復号化し、ＩＤを生成する。そして、この復号化したタグＩＤに、上記コンピュータＩＤ（ｂ）を対応づけて記憶する。
また、受け渡し側コンピュータ２は、業者Ｂに物品を渡す前に、無線ＩＣタグ１から読み取って記憶しているタグＩＤと復号化して生成したＩＤとを対比する。上記両ＩＤが一致した場合、業者Ａは、業者Ｂに、特定の物品を確かに渡したことをその場で確認できる。
なぜなら、受け渡し側コンピュータ２が、上記暗号ＰＡ（ＩＤ）を自身の復号化キーＰＡ’を用いて復号化できたということは、その暗号ＰＡ（ＩＤ）が、自身が暗号化キーＰＡを送信した受け取り側コンピュータ３で暗号化されたものであることがわかるからである。つまり、上記タグＩＤとともに物品が、受け取り側コンピュータ３の業者Ｂへ届いたことになる。
【００４１】
さらに、上記受け渡し側コンピュータ２は、復号化したタグＩＤに、受け取り側コンピュータ３から受信したコンピュータＩＤ（ｂ）とを対応づけて記憶しているので、いつでも、これらのデータを確認することができる。そして、受け渡し側コンピュータ２は、上記対応データに基づいて、タグＩＤに対応した受け取り側コンピュータ３のコンピュータＩＤ（ｂ）を特定する機能を備えている。
つまり、特定の物品のタグＩＤが、上記受け渡し側コンピュータ２に、復号化されたＩＤとして記憶されていれば、それに対応する受け取り側コンピュータ３のコンピュータＩＤを特定できる。受け取り側コンピュータ３のコンピュータＩＤ（ｂ）が特定できれば、受け取り側コンピュータ３が特定できるので、その物品を、どの業者、例えば、業者Ｂへ渡したということを証明することができる。
【００４２】
なお、受け取り側コンピュータ３が、タグＩＤを読み取るタイミングは、上記のタイミングに限らない。物品を受け取った後ならいつでもかまわない。
また、受け取り側コンピュータ３が、無線ＩＣタグ１からタグＩＤを読み取ることができたということから、ＩＣタグ１が物品からはがされることがなかったということがわかり、この無線ＩＣタグ１が他の物品に貼り換えられるようなことが無かったということも確認できる。すなわち、物品が入れ換えられた心配が無いということである。
【００４３】
図５に示す第４実施形態は、業者Ａから業者Ｂに対して、物品を受け渡した時に、業者Ａ側が、業者Ｂに物品を渡したことを確認するシステムの例で、上記第３実施形態とは別の方法を用いるシステムである。
図５は、受け渡し側コンピュータ２と、受け取り側コンピュータ３との間のデータの流れを示した図であるが、システムの全体構成は、上記第１実施形態と同じである。そして、上記第３実施形態と異なる部分を中心に説明する。
【００４４】
この第４実施形態では、無線ＩＣタグ１から読み取ったタグＩＤを暗号化するための暗号化キーＰＢを、受け渡し側コンピュータ２が生成するのではなく、受け取り側コンピュータ３が生成するようにしている。そして、この暗号化キーＰＢに対応する復号化キーＰＢ’を業者ＢのＩＤ用公開鍵ＰＢ’として公開するようにしている。ただし、上記暗号化キーＰＢは、受け取り側コンピュータ３で、毎回生成するのではなく、上記ＩＤ用公開鍵である復号化キーＰＢ’と対で、一旦生成したら、受け取り側コンピュータ３が記憶しておいて、必要な時に利用する。また、これらの暗号化キーＰＢ及び復号化キーＰＢ’は、受け取り側コンピュータ３以外のコンピュータで生成してもかまわないが、生成された暗号化キーＰＢは、受け取り側Ｂの秘密鍵でなければならない。
【００４５】
以下に、図５に従って、各コンピュータの機能とデータの流れを説明する。
業者Ａでは、業者Ｂに物品を渡す際に、受け渡し側コンピュータ２が物品に貼付された無線ＩＣタグ１からタグＩＤを読み取って（図５の矢印（１））、それを記憶する。それから、物品を業者Ｂに渡す。
一方、受け取り側コンピュータ３は、物品に貼付されている無線ＩＣタグ１からタグＩＤを読み取る（図４の矢印（２））。そして、このタグＩＤを自身が生成した暗号化キーＰＢで暗号化し、暗号化タグＩＤとしてのＰＢ（ＩＤ）を受け渡し側コンピュータ２へ送信する（図５の矢印（３））。
【００４６】
受け渡し側コンピュータ２は、上記暗号ＰＢ（ＩＤ）受信して記憶し、記憶した暗号ＰＢ（ＩＤ）を業者ＢのＩＤ用公開鍵である復号化キーＰＢ’を用いて復号化し、ＩＤを生成する。この復号化キーＰＢ’は、受け取り側コンピュータ３が用いた暗号化キーＰＢに対応する復号化キーである。
【００４７】
そして、受け渡し側コンピュータ２は、業者Ｂに物品を渡す前に無線ＩＣタグ１から読み取って記憶しているタグＩＤと、復号化して生成したＩＤとを対比する。
上記両ＩＤが一致した場合、業者Ａは、業者Ｂに、特定の物品を確かに渡したことをその場で確認できる。
なぜなら、業者ＢのＩＤ用公開鍵である復号化キーＰＢ’で復号化できる暗号は、受け取り側コンピュータ３で生成され、送信されたものだから、業者Ｂに正規のタグＩＤが付加された物品が業者Ｂへ渡ったことがわかるのである。
また、受け取り側コンピュータ３が、無線ＩＣタグ１からタグＩＤを読み取ることができたということから、ＩＣタグ１が物品からはがされることがなかったということがわかり、この無線ＩＣタグ１が他の物品に貼り換えられるようなことが無かったということも確認できる。すなわち、物品が入れ換えられた心配が無いということである。
【００４８】
さらに、受け渡し側コンピュータ２は、受け取り側コンピュータ３から受信した暗号ＰＢ（ＩＤ）を記憶しているので、後から、受け渡した物品のタグＩＤと、受け取り業者、例えば業者Ｂを確認することができる。
例えば、受け渡し側コンピュータ２が記憶している暗号ＰＢ（ＩＤ）を、業者Ｂの公開鍵である復号化キーＰＢ’で復号化することによって、その暗号が業者Ｂ側の受け取り側コンピュータ３から送信されたことを証明できる。また、復号化したＩＤと物品に貼付されたタグＩＤとの対応から、物品を特定することもできる。従って、輸送が終了した後に、その物品をどの業者へ受け渡したのかということを確認することができる。
【００４９】
上記第１〜第４実施形態では、輸送業者Ａ側を発明の受け渡し側とし、業者Ｂ側を受け取り側としているが、業者Ｂが目的地に物品を届けて、目的地側のコンピュータとの間で、上記受け取り側コンピュータ３が受け渡し側コンピュータとして機能し、目的地側のコンピュータが受け取り側コンピュータとして機能する場合もある。
同様に、上記受け渡し側の業者Ａが、発送元や、他の業者から物品を受け取る場合、受け取り側として機能することもある。
また、各実施形態では、それぞれ、受け取り側が受け取ったことを確認する例と、受け渡し側が物品を渡したことを確認する例とを別々に説明しているが、これらを組み合わせて、一つのシステムにおいて、受け渡し側および受け取り側の確認の両方を行うようにすることもできる。
【００５０】
さらに、業者Ｂから目的地までの間に複数の輸送業者が介在し、業者Ｂが、別の業者に物品を受け渡す場合も考えられる。その場合には、業者Ｂから物品を受け取る別の業者の用いるコンピュータが受け取り側コンピュータとなり、業者Ｂのコンピュータが受け渡し側コンピュータとして機能する。このようにして、次々と別の業者を経由して目的地まで物品を輸送する過程で、全ての受け渡しについて、上記実施形態と同様に、物品の受け渡しの認証ができる。
そして、受け渡し側コンピュータおよび受け取り側コンピュータがそれぞれ、物品の受け渡し時および受け取り時の確認結果を記録しておくので、物品が、目的地にきちんと届かなかった場合に、各コンピュータの記録を基に、どの時点まで物品が正常に輸送されたのかを確認することができる。
【００５１】
また、上記第１〜第４実施例において、暗号化キーや、暗号化タグＩＤなどのデータの送受信とは別に、一方のコンピュータから、他方のコンピュータへ、任意のコードを送信し、そのコードを暗号化することによって送信相手を確認することもできる。
図６に示す第５実施形態は、受け渡し側の業者Ａの受け渡し側コンピュータ２と受け取り側の業者Ｂの受け取り側コンピュータ３との間で、送信相手を確認する例である。
受け渡し側コンピュータ２は、乱数など任意のコードＱを生成して、それを受け取り側コンピュータ３へ送信する（図６の矢印（１））。
【００５２】
受け取り側コンピュータ３は、コードＱを受信したら、それを自身が保持している暗号化キーＰＲを用いて暗号化し、暗号ＰＲ（Ｑ）を生成する。
なお、上記暗号化キーＰＲに対応する復号化キーＰＲ’を、受け取り側Ｂのコード用公開鍵として公開しておく。また、上記暗号ＰＲ（Ｑ）が、この発明の暗号化コードである。
そして、受け取り側コンピュータ３は、生成した暗号ＰＲ（Ｑ）を受け渡し側コンピュータ２へ送信する（図６の矢印（２））。
受け渡し側コンピュータ２は、上記暗号ＰＲ（Ｑ）を受信したら、これを上記Ｂのコード用公開鍵である復号化キーＰＲ’を用いて復号化し、コードを生成する。
【００５３】
そして、上記復号化して生成したコードと、先に、受け取り側コンピュータ３へ送信するための自身が生成したコードＱとが一致すれば、受け渡し側コンピュータ２は、受け取り側コンピュータ３との間で、通信していることをその場で確認できる。
なぜなら、受け渡し側コンピュータ２が、受信した暗号ＰＲ（Ｑ）を受け取り側Ｂのコード用公開鍵で復号化できたということは、上記暗号ＰＲ（Ｑ）が受け取り側Ｂから送信されたことを意味するからである。
【００５４】
なお、上記第５実施形態は、受け渡し側Ａが、通信相手を確認する例であるが、図６に示す受け渡し側コンピュータ２と受け取り側コンピュータ３の機能を反対にすれば、受け取り側コンピュータ３が、通信相手を確認することができる。
そして、このような通信相手を確認する手順は、上記第１〜第４の全ての実施形態において、通信相手の確認のために利用することができる。
【図面の簡単な説明】
【００５５】
【図１】第１実施形態のシステム構成と、データの流れを示した図である。
【図２】無線ＩＣタグの構成図である。
【図３】第２実施形態のシステム構成と、データの流れを示した図である。
【図４】第３実施形態のシステム構成と、データの流れを示した図である。
【図５】第４実施形態のシステム構成と、データの流れを示した図である。
【図６】第５実施形態のシステム構成と、データの流れを示した図である。
【符号の説明】
【００５６】
１      無線ＩＣタグ
２      受け渡し側コンピュータ
３      受け取り側コンピュータ
４      ＩＤ記憶部
５      無線送受信部
【図１】
2006048353.tif 000003
【図２】
2006048353.tif 000004
【図３】
2006048353.tif 000005
【図４】
2006048353.tif 000006
【図５】
2006048353.tif 000007
【図６】
2006048353.tif 000008